(57)【要約】【課題】使用者が静電気の除電を確認する為の表示機能を、安価に多色表示する。【解決手段】絶縁材料からなる中空のケースに静電気入力電極及び静電気出力電極を隔離して配置し、この静電気入力電極と静電気出力電極との間に、抵抗を直列に接続してなる静電気除去具であって、静電気が通過する時の電荷を利用して不透過から透過に変化するネガ表示の液晶パネルの裏面に、絵、写真、文字等を容易に交換できる構成で設置する静電気除去具。【選択図】      図１
2004303608.tif 000002
【特許請求の範囲】
【請求項１】
絶縁材料からなる中空のケースに静電気入力電極及び静電気出力電極を隔離して配置し、この静電気入力電極と静電気出力電極との間に、抵抗を直列に接続し、ＴＮ方式でありネガ表示、透過タイプの液晶パネルを直列に配置してなる静電気除去具であって、前記液晶パネル裏面には、写真や絵を表示する表示板を挿入し、静電気が静電気入力電極から入力されると、前記静電気入力電極と前記静電気出力電極間に電位差が発生し、この電位差により前記ネガ表示部が反転して、液晶パネルが透過し、前記表示板に表示された写真や絵を液晶パネルに表示すること特徴とする静電気除去具。
【請求項２】
前記、表示板は、交換可能であることを特徴とする請求項１記載の静電気除去具。
【発明の詳細な説明】
【０００１】
【発明の属する技術分野】
本発明は静電気の放電によって人体が受けるシビレや電撃を防止する静電気除去具に関する。
【０００２】
【従来技術】
カーペット等が敷いてあるオフィス、ホテルなどで部屋の出入りの際、ドアノブなどに手を触れた瞬間に静電気によるシビレ、電撃を受けることがある。特に冬季の乾燥期に多い。
これは、カーペットを敷いてある床上を歩くことにより靴、スリッパとカーペットとの摩擦により人体に静電気が帯電することに起因するものであり、ドアノブなどの導体に手を触れたとき人体からドアノブへ静電気が放電するため生じる衝撃である。静電気放電は特に金属性で、しかもドア、ドアフレーム、窓フレーム等の様に表面積が大きいものに触れたとき発生し易く、一般に人体が２ｋｖ以上に帯電すると静電気によるシビレ、電撃を感じることが知られている。
【０００３】
人体から金属などの導体に静電気放電が一瞬に生じるとシビレ、電撃の原因となるため、シビレ、電撃の防止方法としては静電気の放電時間を高抵抗体を介することで長くする方法が採用されている。この従来の方法を採用した静電気除去具は、静電気出力電極と静電気入力電極との間に１メガオーム以上の高抵抗体を結合した構成となっている。
この静電気除去具を使用するに当っては、静電気除去具の静電気入力電極を手で持ち、静電気出力電極をドアノブ等の金属に接触させる。この時、静電気は人体より高抵抗体を介してドアノブ等に流れるが、静電気は高抵抗体をゆっくり流れるのでシビレ、電撃を感じない。
【特許文献】
特開平０９−２３７６９３号
【０００４】
【発明が解決しようとする課題】
ところで、静電気除去具を使用して、静電気が除電されているかを確認する方法としては、本願出願人の出願である特開平８−１７５９２号に開示の発光ダイオードによる光で判断するものと、同じく特開平９−２３７６９３号に開示のメロディＩＣによる音で判断するもの、その他、ネオンランプによる表示、静電気の電荷により液晶を表示させ判断する物がある。しかしながら、それぞれ皆単色、単音の表示、発音で有って、多色表示などはできない。静電気の通過をトリガーにして、ＳＴＮ方式やＴＦＴ方式のカラー液晶を表示する方法も考えられるが、カラー液晶及び表示ドライバは高価であって現実的ではない。
また、前記静電気の電荷で液晶を表示させる方式は、仕様変更等により表示絵柄を変更する場合には新しく液晶を作り直さねばならず、初期費用が大きくなる、また、その為に少量生産に向かないと言う問題があった。
【０００５】
【課題を解決するための手段】
本発明は上記した問題点に鑑み発明されたものであり、絶縁材料からなる中空のケースに静電気入力電極及び静電気出力電極を隔離して配置し、この静電気入力電極と静電気出力電極との間に、抵抗体とＴＮ方式、ネガ表示、透過タイプの液晶を直列に接続してなる静電気除去具であって、通常状態では不透過であり、静電気が通過した時及び、その後一定時間、液晶が反転して透過になり、液晶の裏に設置した写真又は絵等が視認することを特徴とする静電気除去具を要旨とする。
【０００６】
【発明の実施の形態】
使用者が静電気除去具の静電気入力電極を手で持ち、静電気出力電極をドアノブ等の金属に接触させることにより、静電気は人体より高抵抗体を介してドアノブ等に流れるが、このときに静電気の電荷により液晶の電極間に電位差を生じ、液晶を不透過から透過に反転させ、予め表示板に表示されている絵や文字等を、使用者が視認する。
【０００７】
【作用】
使用者が静電気除去具の静電気入力電極を手で持ち、静電気出力電極をドアノブ等の金属に接触させることにより、静電気は人体より高抵抗体を介してドアノブ等に流れるが、このときに静電気の電荷により液晶の電極間に電位差を生じ、液晶を不透過から透過に反転させる事により、液晶裏に設置した図柄を表示させ、使用者に除電したことを知らせる。
【０００８】
【実施例】
以下、本発明を添付図面を参照して説明する。図１は、本発明の一実施例を示す回路のブロック図である。参照符号１は絶縁材料からなる中空のケースである。このケース１の両端には導電性材料からなる静電気入力電極２及び静電気出力電極３が隔離して取り付けられている。前記中空のケース１の中空部内には、前記静電気入力電極２と静電気出力電極３との間に直列に接続される高抵抗体４が配置されている。この高抵抗体４は、静電気の放電時に、放電時間を長くするための抵抗である。更に、ケース１の中空部内には、静電気放電表示の為の液晶パネル５が配置されている。液晶パネル５は、表示面をケース１から露出させるか、又はケース１自体を透明材料等して外部から視認出来る構造とする。表示面の裏面には、表示面側から見て視認できる方向で、除電確認の為の絵、写真、ロゴマーク、文字等の印刷物６を設置する。
【０００９】
前記中空のケース１は汎用性樹脂などの絶縁材料で形成されている。汎用性樹脂の具体例としては、ポリエチレン、ポリプロピレン、ポリアミド、ポリスチレン、ポリエステル、ポリウレタン、ポリカーボネート、ポリ塩化ビニール、ポリエポキシ、ポリアクリロニトリル、アクリルニトリル−ブタジエン−スチレン共重合体、アクリルニトリル−スチレン共重合体などの熱可塑性樹脂又は熱硬化性樹脂が挙げられる。中空のケース１は、これらの樹脂を射出成形、プレス成形などの方法によって任意に形状を成形することができる。
【００１０】
前記静電気入力電極２は、金属、導電性樹脂、導電性ゴム、導電性セラミック、金属メッキされた樹脂などの導電性材料が使用できる。その体積抵抗率は１０１０オーム・センチ以下であればよい。静電気入力電極２の形状は任意で良いが、本静電気除去具を携帯用とする場合、キーホルダやチェーン等が取り付けられる。
【００１１】
前記静電気出力電極３は、上記静電気入力電極２と同様に金属、導電性樹脂、導電性ゴム、導電性セラミック、金属メッキされた樹脂などの導電性材料が使用できる。更に、静電気出力電極３としてステンレス繊維のウェブやフェルト、金属をメッキした合成繊維の織布および不織布、カーボンブラック等の導電材料を添加した合成繊維の織布および不織布、発泡性の導電性ポリエチレン樹脂、同様の発泡性の導電性ウレタン樹脂なども使用できる。静電気出力電極３の形状は、静電気を放電しやすくするために、表面積が大きい方が好ましいので繊維状のものが好ましく、更に、先端が鋭端である方が好ましい。また、中空のケース１に配置された静電気出力電極３をケース１外に一部顕出させるか、または、ケース１に孔を設け、空気を流通させることでも静電気を空中に放電できる。ケース１に形成する孔は静電気出力電極３と接触しているか、又は接近していると、より速く放電できる。また、金属ドアノブ、金属ドアフレーム等の導電性の物に、ケース１外に顕出された静電気出力電極３を直接接触させるか、又はケース１の孔を接近させるだけでも静電気を逃がすこともできる。
【００１２】
前記高抵抗体４は、静電気放電時間を長くするために用いているものである。抵抗値としては、５ＭΩ以上１ＧΩ以下程度の高抵抗が望ましく、材質としては、ポリエチレン、ポリプロピレン、ポリアミド、ポリスチレン、ポリエステル、ポリウレタン、ポリカーボネート、ポリ塩化ビニール、ポリエポキシ、ポリアクリロニトリル、アクリルニトリル−ブタジエン−スチレン共重合体、アクリルニトリル−スチレン共重合体、ブチルゴム、シリコンゴムなどの熱可塑性樹脂又は熱硬化性樹脂等にカーボン、金属粉等の導電材料を混ぜて導電性を持たせた物、又、一般電子素子である金属皮膜抵抗、カーボン抵抗、セラミック抵抗等が使用できる。
【００１３】
液晶パネル５は、ＴＮ（Ｔｗｉｓｔｅｄ  Ｎｅｍａｔｉｃｓ）方式、ネガ表示、透過タイプで、表示領域全面を塗り潰しパターンにする。平常は不透過状態であり、静電気による電圧が掛かった時には反転して透過になり、裏側が透けて見える様になっている。通常の液晶パネルは、反射型で有れば裏側に反射板を設置して、表示面からの入射光を反射させて液晶の文字、図柄等を表示するが、この場合はあえて通常の反射板を設けず、表示したい絵、写真、文字等の描かれた平面上の表示板６を設け、これを反射板代わりとする。
表示板６は、平面状で有れば材質に依らず、紙、フィルム、樹脂成型品、金属板、木版等が使用できるが、出来るだけ光の反射率が高い材質、もしくは表面処理が望ましい。
表示板６は、交換が可能な構造にする事により、表示する絵、写真、文字を容易に変えることが出来る。図２に示す様に、横側からプレート状の表示板を差し込む構造、図３に示すように本体裏側からはめ込む構造が考えられる。
表示する絵、写真、文字等は、プレート自体に印刷してプレートごと交換する事も、紙、フィルム等に印刷して張り替える事も可能である。
【００１４】
静電気が前記静電気入力電極２から入力されると、静電気は直列に接続された高抵抗体４を通り、液晶パネル５の入力端子７に流れる。液晶パネル５は、ほぼ絶縁体であるが、静電気の電圧が液晶パネル５の絶縁耐圧を超えると、パネル内部を静電気が流れ、液晶パネル５の出力端子８に到達し、そのまま静電気出力電極３から、外部に放出される。しかしこの時、液晶の持つ静電容量により液晶の電極間に静電気の電荷が残り、この電荷により生ずる電位差で液晶が動作する。これにより液晶が不透過から透過状態に変化し、液晶表示面から、表示板に描かれた絵、写真、文字、等が視認できるようになり、使用者は除電が行われたことを認識する。
【００１５】
【発明の効果】
絵、写真、文字等を取り付けた表示板を交換可能なものとしたので、液晶表示装置を作り変えることが無く、静電気除去具を作成する初期費用も安価になった。
また除電した時の表示を、使用者が好む表示とすることが出来るので、嗜好性に富んだ静電気除去具とすることができた。
【図面の簡単な説明】
【図１】本発明の一実施例を示す構成図である。
【図２】表示板を側面から挿入する構成図である。
【図３】表示板を裏面より挿入する構成を裏面より示す図である。
【符号の説明】
１            ケース
２            静電気入力電極
３            静電気出力電極
４            抵抗
５            液晶パネル
６            表示板
７            液晶入力電極
８            液晶出力電極
【図１】
2004303608.tif 000003
【図２】
2004303608.tif 000004
【図３】
2004303608.tif 000005